(57)【要約】【課題】本発明は、例えば手指の力が衰えた入の場合においても、操作力の方向性を気にすることなく簡略容易にスイッチオン状態とすることができ、かつ、誤発報が生じ難い曲げスイッチを提供する。【解決手段】本発明に係る曲げスイッチ１は、導電性を有するコイルばね状の外側電極２と、導電性を有する直線状導体からなり外側電極２の内部にその長さ方向に外側電極２と同等長さで配置した内側電極３と、外側電極２、内側電極３の両端部に各々配置され、外側電極２と内側電極３とを離隔させる絶縁材からなる一対の離隔材４ａ、４ｂと、外側電極２、内側電極３、一対の離隔材４ａ、４ｂの外側を覆う軟質絶縁材からなる外被材７と、を有する構成したものである。【選択図】図２
2016081745.tif 000002
【特許請求の範囲】
【請求項１】
導電性を有するコイルばね状の外側電極と、
導電性を有する直線状導体からなり外側電極の内部にその長さ方向に前記外側電極と同等長さで配置した内側電極と、
外側電極、内側電極の両端部に各々配置され、前記外側電極と内側電極とを離隔させる絶縁材からなる一対の離隔材と、
前記外側電極、内側電極、一対の離隔材の外側を覆う軟質絶縁材からなる外被材と、
を有し、
前記外被材を経て外側電極、内側電極に対して作用する任意方向の握り力により、前記外側電極、内側電極の一方又は双方を曲げてこれら外側電極、内側電極の一部同士の接触によりスイッチオン状態とするように構成したことを特徴とする曲げスイッチ。
【請求項２】
導電性を有するコイルばね状の外側電極と、
導電性を有する直線状導体からなり外側電極の内部にその長さ方向に前記外側電極と同等長さで配置した内側電極と、
外側電極、内側電極の両端部に各々配置され、前記外側電極と内側電極とを離隔させる絶縁材からなる一対の離隔材と、
前記外側電極に一端を接続し外部に導出した第１リード線と、
前記内側電極に一端を接続し外部に導出した第２リード線と、
前記外側電極、内側電極、一対の離隔材の外側を覆う軟質絶縁材からなる外被材と、
を有し、
前記外被材を経て外側電極、内側電極に対して作用する任意方向の握り力により、前記外側電極、内側電極の一方又は双方を曲げてこれら外側電極、内側電極の一部同士の接触によりスイッチオン状態とするように構成したことを特徴とする曲げスイッチ。
【請求項３】
前記内側電極は、導電性を有する線材からなることを特徴とする請求項１又は２記載の曲げスイッチ。
【請求項４】
前記内側電極は、導電性を有しばね性を有する棒状体からなることを特徴とする請求項１又は２記載の曲げスイッチ。
【請求項５】
導電性を有するコイルばね状の外側電極と、
導電性を有する直線状導体からなり外側電極の内部にその長さ方向に前記外側電極と同等長さで配置した内側電極と、
外側電極、内側電極の両端部を各々覆うように配置され、前記外側電極と内側電極とを離隔させる絶縁材からなる一対の皿状のキャップ材と、
前記外側電極、内側電極、一対のキャップ材の外側を覆う軟質絶縁材からなる外被材と、
を有し、
前記外被材を経て外側電極、内側電極に対して作用する任意方向の握り力により、前記外側電極、内側電極の一方又は双方を曲げてこれら外側電極、内側電極の一部同士の接触によりスイッチオン状態とするように構成したことを特徴とする曲げスイッチ。
【請求項６】
導電性を有するコイルばね状の外側電極と、
導電性を有する直線状導体からなり外側電極の内部にその長さ方向に前記外側電極と同等長さで配置した内側電極と、
外側電極、内側電極の両端部を各々覆うように配置され、前記外側電極と内側電極とを離隔させる絶縁材からなる一対の皿状のキャップ材と、
前記外側電極に一端を接続し外部に導出した第１リード線と、
前記内側電極に一端を接続し外部に導出した第２リード線と、
前記外側電極、内側電極、一対のキャップ材の外側を覆う軟質絶縁材からなる外被材と、
を有し、
前記外被材を経て外側電極、内側電極に対して作用する任意方向の握り力により、前記外側電極、内側電極の一方又は双方を曲げてこれら外側電極、内側電極の一部同士の接触によりスイッチオン状態とするように構成したことを特徴とする曲げスイッチ。
【請求項７】
前記内側電極は、導電性を有する線材からなることを特徴とする請求項５又は６記載の曲げスイッチ。
【請求項８】
前記内側電極は、導電性を有しばね性を有する棒状体からなることを特徴とする請求５又は６記載の曲げスイッチ。
【発明の詳細な説明】
【技術分野】
【０００１】
本発明は、曲げスイッチに関し、手指の力が衰えた入の場合においても、操作力の方向性を気にすることなく簡略容易にスイッチオン状態とすることができ、かつ、誤発報が生じ難く、例えば病院等の医療機関におけるナースコール用のスイッチとして好適な曲げスイッチに関するものである。
【背景技術】
【０００２】
病院等の医療機関においては、入院患者が随時ナースコール用のスイッチを指等で押し、ナースセンター等に配置した発音装置を動作させてブザー音やチャイム音等を鳴らすことで、ナースを呼び出すことが日常時に行われている。
【０００３】
この種のスイッチに関連する先行技術としては、例えば特許文献１に開示されているように、手すり等に取り付けるための手すり取り付け部に帯状のスイッチ部を配置し、このスイッチ部を指で押すことにより、スイッチオン状態として呼び出し音を発音するように構成した車椅子トイレ用押ボタンスイッチが知られている。
【０００４】
しかし、押ボタンスイッチ構造の場合、手指の力が衰えた入院患者の場合スイッチ部を指で押してスイッチオン状態とすることは容易ではない。
【０００５】
また、特許文献２には、弾性絶縁体と、この弾性絶縁体を挟んで対向配置した一対のスイッチ体とを有するスイッチ構造とし、弾性絶縁体、一対のスイッチ体を曲げることで、一対のスイッチ体に設けた接点部を接触させてスイッチオン状態とする構成とした曲がりスイッチが提案されている。
【０００６】
この曲がりスイッチの場合、スイッチオン状態とするためには、一定の方向性を持って曲げ力を加えなければならず、また、何等かの物体が衝突したような場合でもスイッチオン状態となってしまい誤発報が生じることがある。
【先行技術文献】
【特許文献】
【０００７】
【特許文献１】特開２００３−１３５３１５号公報
【特許文献２】実開昭６２−１５２３２８号公報
【発明の概要】
【発明が解決しようとする課題】
【０００８】
本発明が解決しようとする問題点は、例えば手指の力が衰えた入院患者等の場合においても、握り操作力の方向性を気にすることなく簡略容易にスイッチオン状態とすることができるとともに、何等かの物体が衝突したような場合でも誤発報が生じ難いような曲げスイッチが従来存在しない点である。
【課題を解決するための手段】
【０００９】
本発明に係る曲げスイッチは、導電性を有するコイルばね状の外側電極と、導電性を有する直線状導体からなり外側電極の内部にその長さ方向に前記外側電極と同等長さで配置した内側電極と、外側電極、内側電極の両端部に各々配置され、前記外側電極と内側電極とを離隔させる絶縁材からなる一対の離隔材と、前記外側電極、内側電極、一対の離隔材の外側を覆う軟質絶縁材からなる外被材と、を有し、前記外被材を経て外側電極、内側電極に対して作用する任意方向の握り力により、前記外側電極、内側電極の一方又は双方を曲げてこれら外側電極、内側電極の一部同士の接触によりスイッチオン状態とするように構成したことを最も主要な特徴とする。
【発明の効果】
【００１０】
請求項１乃至４記載の発明によれば、外被材を経て外側電極、内側電極に対して作用する任意方向の握り力により、前記外側電極、内側電極の一方又は双方を曲げてこれら外側電極、内側電極の一部同士の接触によりスイッチオン状態とすることができるので、例えば手指の力が衰えた入院患者等の場合においても、握り操作力の方向性を気にすることなく簡略容易にスイッチオン状態とすることができ、また、何等かの物体が衝突したような場合でもスイッチオン状態となることはなく、誤発報を確実に防止することができる曲げスイッチを実現し提供することができる。
【００１１】
請求項５乃至８記載の発明によれば、請求項１乃至４記載の発明の場合と同様に、外被材を経て外側電極、内側電極に対して作用する任意方向の握り力により、前記外側電極、内側電極の一方又は双方を曲げてこれら外側電極、内側電極の一部同士の接触によりスイッチオン状態とすることができるので、例えば手指の力が衰えた入院患者等の場合においても、握り操作力の方向性を気にすることなく簡略容易にスイッチオン状態とすることができ、また、何等かの物体が衝突したような場合でもスイッチオン状態となることはなく、誤発報を確実に防止することができ、更に、外側電極を一対の皿状のキャップ材により保持する構成を採用しているので、この曲げスイッチ１Ｂをベッド面やベッドフレームの平面部に安定した状態で載置できる効果を奏する曲げスイッチを実現し提供することができる。
【図面の簡単な説明】
【００１２】
【図１】図１は本発明の実施例に係る曲げスイッチ及び発音装置を示す概略構成図である。
【図２】図２は本実施例１に係る曲げスイッチの外被材を想像線として示す概略正面図である。
【図３】図３は本実施例１に係る曲げスイッチの外被材を想像線として示す概略平面図である。
【図４】図４は本実施例１に係る曲げスイッチの外被材を想像線として示すスイッチオン状態を示す概略説明図である。
【図５】図５は本実施例１の変形例に係る曲げスイッチの外被材を想像線として示す概略正面図である。
【図６】図６は本実施例１の変形例に係る曲げスイッチの外被材を想像線として示す概略平面図である。
【図７】図７は本発明の実施例２に係る曲げスイッチの外観を示す概略正面図である。
【図８】図８は本実施例２に係る曲げスイッチの外被材を想像線として示す概略正面図である。
【図９】図９は本実施例２に係る曲げスイッチの外被材を想像線として示す概略平面図である。
【図１０】図１０は本実施例２の変形例に係る曲げスイッチの外被材を想像線として示す概略正面図である。
【図１１】図１１は本実施例１の変形例に係る曲げスイッチの外被材を想像線として示す概略平面図である。
【発明を実施するための形態】
【００１３】
本発明は、例えば手指の力が衰えた入院患者の場合においても、握り操作力の方向性を気にすることなく簡略容易にスイッチオン状態とすることができるとともに、何等かの物体が衝突したような場合でも誤発報が生じ難い曲げスイッチを提供するという目的を、導電性を有するコイルばね状の外側電極と、導電性を有する直線状導体からなり外側電極の内部にその長さ方向に前記外側電極と同等長さで配置した内側電極と、外側電極、内側電極の両端部に各々配置され、前記外側電極と内側電極とを離隔させる絶縁材からなる一対の離隔材と、前記外側電極に一端を接続し外部に導出した第１リード線と、前記内側電極に一端を接続し外部に導出した第２リード線と、前記外側電極、内側電極、一対の離隔材の外側を覆う軟質絶縁材からなる外被材と、を有し、前記外被材を経て外側電極、内側電極に対して作用する任意方向の握り力により、前記外側電極、内側電極の一方又は双方を曲げてこれら外側電極、内側電極の一部同士の接触によりスイッチオン状態とする構成により実現した。
【実施例】
【００１４】
以下、本発明の実施例に係る曲げスイッチについて図面を参照して詳細に説明する。
【００１５】
（実施例１）
本実施例１に係る曲げスイッチ１について、図１乃至図４を参照して詳細に説明する。
【００１６】
本実施例１に係る曲げスイッチ１は、例えば病院等の医療機関における入院患者が居る病室のベッド脇等に配置するものであり、図１乃至図３に示すように、導電性を有するコイルばね状の外側電極２と、導電性を有する直線状導体からなり前記外側電極２の内部にその長さ方向で、かつ、前記外側電極２と同等長さで配置した導電性を有する線材からなる内側電極３と、外側電極２、内側電極３の両端部に各々配置され、前記外側電極２と内側電極３とを離隔させる絶縁材からなる例えば帯状に形成した一対の離隔材４ａ、４ｂと、前記外側電極２に一端を接続し外部に導出した第１リード線５と、前記内側電極３に一端を接続し外部に導出した第２リード線６と、前記外側電極２、内側電極３、一対の離隔材４ａ、４ｂの外側全体を覆う例えば軟質絶縁材からなる外被材７とを有している。
【００１７】
前記第１リード線５は、前記外側電極２の端部外周部に半田付け等によりその一端を接続し、前記外被材７を貫通して外部に導出している。
【００１８】
また、前記第２リード線６は、前記内側電極３の一端に半田付け等によりその一端を接続し、前記離隔材４ａ、外被材７を貫通して外部に導出している。
【００１９】
そして、前記第１リード線５、第２リード線６の他端側は、いずれも図１に示すように、例えば、ナースセンター等に配置した発音装置８に接続している。
【００２０】
前記外側電極２、内側電極３の材質、更には第１リード線５、第２リード線６の材質については導電性を有する素材であれば特に限定するものではない。
【００２１】
なお、図２乃至図４においては、前記外被材７を想像線で示している。
【００２２】
次に、上述した構成からなる本実施例１に係る曲げスイッチ１の動作について、図４を参照して説明する。
【００２３】
例えば、入院患者が、随時病室のベッド脇にある曲げスイッチ１を片手で握り、握り力を曲げスイッチ１に加えると、この曲げスイッチ１におけるコイルばね状の外側電極２は、図４に示すように曲がり、同時に前記内側電極３も外側電極２も同方向に曲がり、これにより、内側電極３の外周の一部が外側電極２の内周の一部に接触する。
【００２４】
この結果、本実施例１に係る曲げスイッチ１はスイッチオン状態に転じ、ナースセンター等に配置した発音装置８からブザー音又はチャイム音等が発音され、ナースを呼び出すことができる。
【００２５】
なお、図４に示す例は、同図において右側から左側に患者の握り力を作用させた場合を示しているが、本実施例１に係る曲げスイッチ１は、既述した通り、コイルばね状の外側電極２により内側電極３の周りを囲むように構成しているので、握り力は曲げスイッチ１の外側電極２の側面側に対していずれの方向から作用させてもよい全方向性のスイッチ機能を発揮させることができる。
【００２６】
一方、前記曲げスイッチ１が起立状態の場合で、その上方から何等かの物体が落下したような場合においては、当該物体による衝撃力は、コイルばね状の外側電極２による垂直ばね剛性によってこの曲げスイッチ１を若干撓ませる程度にとどまり、曲げスイッチ１がスイッチオン状態に転じることはなく、これにより、従来例のような誤発報が生じることを防止できる。
【００２７】
図５、図６は、本実施例１に係る曲げスイッチ１の変形例である曲げスイッチ１Ａを示すものであり、実施例１に係る曲げスイッチ１の場合と同一の要素には同一の符号を付し、その詳細説明は省略する。
【００２８】
図５、図６に示す変形例の曲げスイッチ１Ａは、基本的構成は実施例１に係る曲げスイッチ１の場合と同様であるが、前記内側電極３に替えて導電性を有しばね性を有する棒状体からなる内側電極３Ａを用いたことが特徴である。
【００２９】
また、内側電極３Ａは前記内側電極３よりも太径としているが、この内側電極３Ａの材質についても導電性を有する素材であれば特に限定するものではない。
【００３０】
変形例の曲げスイッチ１Ａによっても、上述した実施例１の曲げスイッチ１の場合と同様な握り力による全方向性のスイッチオン機能、誤発報防止機能を発揮させることができる。
【００３１】
特に、誤発報防止機能に関しては、実施例１の内側電極３よりも太径の内側電極３Ａを採用しているので、何等かの物体が落下したような場合において、外側電極２による垂直ばね剛性に加えて内側電極３Ａの垂直耐荷重性も発揮させることができ、これにより、変形例の曲げスイッチ１Ａの誤発報防止機能をより高めることができる利点がある。
【００３２】
（実施例２）
次に、本発明の実施例２に係る曲げスイッチ１Ｂについて、図７乃至図９を参照して説明する。
【００３３】
なお、本実施例２に係る曲げスイッチ１Ｂにおいて、実施例１に係る曲げスイッチ１の場合と同一の要素には同一の符号を付し、その詳細説明は省略する。
【００３４】
本実施例２に係る曲げスイッチ１Ｂは、基本的構成は実施例１に係る曲げスイッチ１の場合と同様であるが、前記一対の離隔材４ａ、４ｂに替えて、前記外側電極２と内側電極３とを離隔させる絶縁材からなる一対の皿状のキャップ材９ａ、９ｂを用いたことが特徴であり、残余の構成は実施例１の場合と同様である。
【００３５】
本実施例２に係る曲げスイッチ１Ｂにおいて、前記第１リード線５は、前記外側電極２の端部外周部に半田付け等によりその一端を接続し、前記キャップ材９ａ、前記外被材７を貫通して外部に導出している。
【００３６】
また、前記第２リード線６は、前記内側電極３の一端に半田付け等によりその一端を接続し、前記キャップ材９ａ、外被材７を貫通して外部に導出している。
【００３７】
そして、前記第１リード線５、第２リード線６の他端側は、図７には図示しないが、いずれも図１に示す場合と同様に例えば、ナースセンター等に配置した発音装置８に接続している。
【００３８】
本実施例２に係る曲げスイッチ１Ｂの場合においても、入院患者が、随時病室のベッド脇にある曲げスイッチ１Ｂを片手で握り、握り力を曲げスイッチ１Ｂに加えると、この曲げスイッチ１Ｂは、図４に示す場合と同様にしてスイッチオン状態となり、ナースセンター等に配置した発音装置８からブザー音又はチャイム音等が発音され、ナースを呼び出すことができる。
【００３９】
この場合に、本実施例２に係る曲げスイッチ１Ｂの場合においても、実施例１の場合と同様に、全方向性のスイッチ機能を発揮させることができる。
【００４０】
また、何等かの物体が衝突した場合においても、コイルばね状の外側電極２による垂直ばね剛性によって、実施例１の場合と同様、誤発報が生じることを防止できる。
【００４１】
更に、本実施例２に係る曲げスイッチ１Ｂの場合には、前記外側電極２と内側電極３の両端を、一対の皿状のキャップ材９ａ、９ｂにより保持する構成を採用しているので、この曲げスイッチ１Ｂをベッド面やベッドフレームの平面部に安定した状態で載置できる利点もある。
【００４２】
図１０、図１１は、本実施例２に係る曲げスイッチ１Ｂの変形例である曲げスイッチ１Ｃを示すものであり、実施例２に係る曲げスイッチ１Ｂの場合と同一の要素には同一の符号を付し、その詳細説明は省略する。
【００４３】
図１０、図１１に示す変形例の曲げスイッチ１Ｃは、基本的構成は実施例２に係る曲げスイッチ１Ｂの場合と同様であるが、上述した変形例の場合と同様、前記内側電極３に替えて導電性を有しばね性を有する棒状体からなる内側電極３Ａを用いたことが特徴である。
【００４４】
図１０、図１１に示す変形例の曲げスイッチ１Ｃによっても、上述した実施例２の曲げスイッチ１Ｂの場合と同様な握り力による全方向性のスイッチオン機能、誤発報防止機能を発揮させることができる。
【００４５】
特に、誤発報防止機能に関しては、上述した変形例の場合と同様、実施例２の内側電極３よりも太径の内側電極３Ａを採用しているので、何等かの物体が落下したような場合において、外側電極２による垂直ばね剛性に加えて内側電極３Ａの垂直耐荷重性も発揮させることができ、これにより、変形例の曲げスイッチ１Ｃにおける誤発報防止機能をより高めることができる利点がある。
【産業上の利用可能性】
【００４６】
本発明の曲げスイッチは、ナースコール用のスイッチとしての用途の他に、例えば車椅子トイレ用スイッチ等、手指の力が衰えている人又は手指を使用できないが握力は残っている人用の操作スイッチとして広範に適用可能である。
【符号の説明】
【００４７】
１    曲げスイッチ
１Ａ  曲げスイッチ
１Ｂ  曲げスイッチ
１Ｃ  曲げスイッチ
２    外側電極
３    内側電極
３Ａ  内側電極
４ａ  離隔材
４ｂ  離隔材
５    第１リード線
６    第２リード線
７    外被材
８    発音装置
９ａ  キャップ材
９ｂ  キャップ材
【図１】
2016081745.tif 000003
【図２】
2016081745.tif 000004
【図３】
2016081745.tif 000005
【図４】
2016081745.tif 000006
【図５】
2016081745.tif 000007
【図６】
2016081745.tif 000008
【図７】
2016081745.tif 000009
【図８】
2016081745.tif 000010
【図９】
2016081745.tif 000011
【図１０】
2016081745.tif 000012
【図１１】
2016081745.tif 000013